(57)【要約】【課題】防水シートの防水性を長期に維持できる防水シート取付部材を提供する。【解決手段】防水シート取付部材１は、敷設面３に固定された長尺の金属部材５と、金属部材５の長手方向Ｘ１に沿って延び、金属部材５に保持された樹脂部材６とを備える。樹脂部材６の表面６１に、合成樹脂製の防水シート７１，７２が接着される。金属部材５の表面５１に形成されたＣ形チャンネル溝８に、樹脂部材６の断面Ｔ字形の凸条９が嵌合されている。Ｃ形チャンネル溝８と凸条９との相対移動によって、温度変化に伴う金属部材８および樹脂部材６の膨張量または収縮量の差を吸収し、防水シート７１，７２の破れを防止する。【選択図】図１
0003157444.tif 000002
【実用新案登録請求の範囲】
【請求項１】
長尺の防水シートの縁部を敷設面に取り付けるための防水シート取付部材であって、
上記敷設面に固定される長尺の金属部材と、
上記金属部材の長手方向に沿って延び、上記金属部材の表面の少なくとも一部を覆う状態で上記金属部材に保持された樹脂部材と、を備え、
上記樹脂部材は、上記屋上防水シートの上記縁部が貼り付けられる表面と、上記金属部材の上記表面に対向する裏面と、を含み、
上記金属部材の表面および上記樹脂部材の上記裏面の何れか一方に、上記長手方向に延びるＣ形チャンネル溝が形成され、他方に、上記Ｃ形チャンネル溝に嵌合された断面Ｔ字形の凸条が形成され、
上記長手方向に関する上記Ｃ形チャンネル溝と上記凸条との相対移動によって、温度変化に伴う上記金属部材および上記樹脂部材の膨張量または収縮量の差を吸収するようにしてあることを特徴とする防水シート取付部材。
【請求項２】
請求項１において、上記金属部材がアルミニウムを含む押し出し材からなることを特徴とする防水シート取付部材。
【考案の詳細な説明】
【技術分野】
【０００１】
本考案は、建物の屋上や屋根等の敷設面や、プールその他の水槽等内の敷設面に、長尺の防水シートを取り付けるための防水シート取付部材に関する。
【背景技術】
【０００２】
上記防水シート取付部材として、鋼板の表面に合成樹脂を被覆した樹脂被覆鋼板が用いる方法が知られている（例えば特許文献１を参照）。すなわち、屋上等の敷設面に、固定ねじを用いて、樹脂被覆鋼板を固定した後、合成樹脂製の防水シートを敷設面に接着剤により貼り付けるとともに、上記防水シートの縁部を樹脂被覆鋼板の表面に接着剤により貼り付けて固定する工法である。
【先行技術文献】
【特許文献】
【０００３】
【特許文献１】特開平１１−２４１４６３号公報
【考案の開示】
【考案が解決しようとする課題】
【０００４】
しかしながら、屋上等では、温度変化量が大きく、このため、高温時においては、樹脂被覆鋼板の膨張量と防水シートの膨張量に大きな相違が生じ、また、低温時においては、樹脂被覆鋼板の収縮量と防水シートの収縮量に大きな相違が生じる。このような膨張、収縮を繰り返していると、防水シートに破れを生じ、防水性が損なわれるおそれがある。また、破れが生じると、外観が著しく損なわれる。
【０００５】
本考案は前記課題に鑑みてなされたものであり、長期にわたって防水シートの防水性を維持できる防水シート取付部材を提供することを目的とする。
【課題を解決するための手段】
【０００６】
前記目的を達成するため、本考案は、長尺の防水シート（７１，７２）の縁部を敷設面（３；３１Ａ，３２Ａ；３１Ｂ，３２Ｂ）に取り付けるための防水シート取付部材（１，１Ａ，１Ｂ）であって、上記敷設面に固定される長尺の金属部材（５；５Ａ；５Ｂ）と、上記金属部材の長手方向（Ｘ１）に沿って延び、上記金属部材の表面（５１）の少なくとも一部を覆う状態で上記金属部材に保持された樹脂部材（６；６Ａ；６Ｂ）と、を備え、上記樹脂部材は、上記屋上防水シートの上記縁部が貼り付けられる表面（６１）と、上記金属部材の上記表面に対向する裏面（６２）と、を含み、上記金属部材の表面および上記樹脂部材の上記裏面の何れか一方に、上記長手方向に延びるＣ形チャンネル溝（８）が形成され、他方に、上記Ｃ形チャンネル溝に嵌合された断面Ｔ字形の凸条（９）が形成され、上記長手方向に関する上記Ｃ形チャンネル溝と上記凸条との相対移動によって、温度変化に伴う上記金属部材および上記樹脂部材の膨張量または収縮量の差を吸収するようにしてある防水シート取付部材を提供する。
【０００７】
本考案によれば、樹脂部材の長手方向への温度膨張や温度収縮が金属部材によって拘束されていないので、真夏の炎天下の高温や真冬の寒風下の低温に曝されても、樹脂部材と樹脂部材に貼り付けられた通例、合成樹脂製である防水シートの破損を長期にわたって防止することができる。したがって、防水構造の防水性を長期にわたって維持でき、また、破れ等の外観劣化を長期にわたって防止することができる。すなわち、防水構造全体としての耐久性を格段に向上することができる。
【０００８】
また、上記金属部材がアルミニウムを含む押し出し材からなっていれば、Ｃ形チャンネル溝または断面Ｔ字形の凸条を容易に且つ安価に形成することができ、好ましい。
【図面の簡単な説明】
【０００９】
【図１】本考案の一実施の形態の防水シート取付部材を用いた防水シート取付構造の一部破断斜視部である。
【図２】図１の防水シート取付部材の断面図である。
【図３】本考案の別の実施の形態の防水シート取付部材を用いた防水シート取付構造の一部破断斜視部である。
【図４】図３の防水シート取付部材の断面図である。
【図５】本考案のさらに別の実施の形態の防水シート取付部材を用いた防水シート取付構造の一部破断斜視部である。
【図６】建物に固定された図５の防水シート取付部材の断面図である。
【考案を実施するための形態】
【００１０】
本考案の好ましい態様を添付図面を参照しつつ説明する。
図１は本考案の一実施の形態の防水シート取付部材１を用いた防水構造１００の一部破断斜視図であり、図２は防水シート取付部材１の断面図である。これらの図を参照して、防水シート取付部材１は、建物２の屋上等の敷設面３に、固定ねじ４を用いて固定される例えば金属部材５と、その金属部材５の表面５１に保持された樹脂部材６とを備えている。
【００１１】
防水シート取付部材１の樹脂部材６の表面６１には、敷設面３に接着剤により貼り付けられた隣接する第１の防水シート７１および第２の防水シート７２の各縁部が、接着剤を用いて貼り付けられている。両防水シート７１，７２の一部は重畳して貼り付けられ、防水性の向上が図られている。防水シート７１，７２は、通例、合成樹脂製（繊維補強されている場合も含む）であり、樹脂部材６とほぼ等しい熱膨張係数を有している。
【００１２】
金属部材５は、アルミニウムを含む押し出し材、例えばアルニウム合金製の押し出し材からなり、その表面５１に一対のＣ形チャンネル溝８，８が形成されている。一方、樹脂部材６には、各Ｃ形チャンネル溝８，８にそれぞれ嵌合された断面Ｔ字形の凸条９，９が形成されている。
より具体的には、金属部材５は、板状の連結部１０を介して互いに連結された一対のベース１１を有している。固定ねじ４は、各ベース１１に形成され金属部材５の長手方向Ｘ１に延びる長孔からなるねじ挿通孔２０を挿通して、敷設面３にねじ込み固定されている。固定ねじ４としては、例えば丸頭ねじを用いることができる。
【００１３】
金属部材５の表面５１（各ベース１１の表面）には、互いに向き合う一対のアングル状の起立条１２がそれぞれ形成され、対向する一対の起立条１２間に、それぞれＣ形チャンネル溝８が形成されている。連結部１０の上面と、各起立条１２のフランジ１３の上面とは、面一に設定されている。
樹脂部材６は例えば塩化ビニル樹脂により形成され、板状をなしている。樹脂部材６の表面６１に防水シート７１，７２が貼り付けられる。樹脂部材６の裏面６２（下面に相当）から上記の凸条９，９が突設されている。樹脂部材６の裏面６２は、金属部５の連結部１０の上面および各起伏条１２のフランジ１３の上面によって受けられている。
【００１４】
本実施の形態によれば、樹脂部材６の長手方向への温度膨張や温度収縮が金属部材５によって拘束されていないので、真夏の炎天下の高温や真冬の寒風下の低温に曝されても、樹脂部材６および樹脂部材６に貼り付けられた防水シート７１，７２の破損を長期にわたって防止することができる。したがって、防水構造１００の防水性を長期にわたって維持でき、また、破れ等の外観劣化を長期にわたって防止することができる。すなわち、防水構造１００全体としての耐久性を格段に向上することができる。
【００１５】
また、金属部材５がアルミニウムを含む押し出し材からなっているので、Ｃ形チャンネル溝８を容易に且つ安価に形成することができる。
また、固定ねじ４が、金属部材５の長手方向Ｘ１に延びる長孔からなるねじ挿通孔２０を挿通して、敷設面３にねじ込まれているので、温度変化に伴う膨張時や収縮時において、固定ねじ４とねじ挿通孔２０との相対移動によって、敷設面３としてのコンクリート面と金属部材５との相対移動を許容することができ、これにより、敷設面３および金属部材５の膨張量や収縮量の差を吸収することができる。その結果、金属部材５の耐久性を向上することができる。ひいては、防水構造１００全体としての耐久性を向上することができる。
【００１６】
次いで、図３および図４は、本発明の別の実施の形態を示している。これらの図を参照して、本実施の形態の防水シート取付部材１Ａが図１および図２の防水シート取付部材１と異なるのは、下記である。すなわち、本実施の形態の防水シート取付部材１Ａでは、その連結部１０Ａに、例えば直角状や「く」の字状に屈曲された屈曲部１４Ａが設けられており、一対のベース１１Ａが、建物２の隅角部１５で交差する例えば屋上等の底壁の第１の敷設面３１Ａと屋上等の立ち上がり壁の第２の敷設面３２Ａとにそれぞれ沿わされて、固定ねじ４により固定されている。  
【００１７】
また、樹脂部材６Ａにも、一対の凸条９，９間に、連結部１０Ａの屈曲部１４Ａの外面に沿うように屈曲部１６Ａが設けられている。樹脂部材６Ａの表面には、第１の敷設面３１Ａに沿う第１の防水シート７１と、第２の敷設面３２Ａに沿う第２の防水シート７２とが接着剤を用いて貼り付けられている。また、両防水シート７１，７２の一部は重畳して貼り付けられ、防水性の向上が図られている。
【００１８】
本実施の形態においても、樹脂部材６Ａの長手方向への温度膨張や温度収縮が金属部材５Ａによって拘束されていないので、樹脂部材６Ａや防水シート７１，７２の破損を長期にわたって防止することができ、防水構造１００Ａの防水性を長期にわたって維持することができる。
次いで、図５および図６は、本発明のさらに別の実施の形態を示している。これらの図を参照して、本実施の形態の防水シート取付部材１Ｂが図３および図４の防水シート取付部材１Ａと異なるのは、下記である。すなわち、本実施の形態の防水シート取付部材１Ｂでは、一対のベース１１Ｂが、例えば建物２の屋上の角部１７で交差する例えば屋上の底壁からなる第１の敷設面３１Ｂと建物２の側壁からなる第２の敷設面３２Ｂとにそれぞれ沿わされ、固定ねじ４により固定されている。
【００１９】
金属部材５Ｂの連結部１０Ｂに、図４の屈曲部１４Ａとは逆向きの屈曲部１４Ｂが設けられており、樹脂部材６Ｂにも、一対の凸条９，９間に、連結部１０Ｂの屈曲部１４Ｂの内面に沿うように屈曲部１６Ｂが設けられている。
本実施の形態においても、樹脂部材６Ｂの長手方向への温度膨張や温度収縮が金属部材５Ｂによって拘束されていないので、樹脂部材６Ｂや防水シート７１の破損を長期にわたって防止することができ、防水構造１００Ｂの防水性を長期にわたって維持することができる。なお、防水シート７１が第２の敷設面３２Ｂまで回り込んでいてもよいし、第２の敷設面３２Ｂに貼り付けられる第２の防水シート７２（図示せず）が設けられ、両防水シート７１，７２の一部が重畳して接着されていてもよい。
【００２０】
上記各実施の形態では、金属部材５，５Ａ，５ＢにＣ形チャンネル溝８を設け、樹脂部材６，６Ａ，６Ｂに断面Ｔ字形の凸条９を設けたが、これに代えて、樹脂部材６，６Ａ，６ＢにＣ形チャンネル溝８を設け、金属部材５，５Ａ，５Ｂに断面Ｔ字形の凸条９を設けるようにしてもよい。その他、本考案の実用新案登録請求の範囲内で種々の変更を施すことができる。
【符号の説明】
【００２１】
１，１Ａ，１Ｂ…防水シート取付部材、２…建物、３…敷設面、３１Ａ，３１Ｂ…第１の敷設面、３２Ａ，３２Ｂ…第２の敷設面、４…固定ねじ、５，５Ａ，５Ｂ…金属部材、５１…（金属部材の）表面、６，６Ａ，６Ｂ…樹脂部材、６１…（樹脂部材の）表面、６２…（樹脂部材の）裏面、７１…第１の防水シート、７２…第２の防水シート、８…Ｃ形チャンネル溝、９…凸条、１０，１０Ａ，１０Ｂ…連結部、１１，１１Ａ，１１Ｂ…ベース、１２…起立条、１３…フランジ、１４Ａ，１４Ｂ…屈曲部、１５…隅角部、１６Ａ，１６Ｂ…屈曲部、１７…角部、２０…ねじ挿通孔、１００，１００Ａ，１００Ｂ…防水構造、Ｘ１…長手方向
【図１】
0003157444.tif 000003
【図２】
0003157444.tif 000004
【図３】
0003157444.tif 000005
【図４】
0003157444.tif 000006
【図５】
0003157444.tif 000007
【図６】
0003157444.tif 000008